(57)【要約】【課題】洗浄液の注入作業が容易で、洗浄液の排出性に優れ、給液タンクの質量に起因する使用者への負担が少ない湿式電気掃除機用給液タンクを提供すること。【解決手段】被洗浄物に噴射ノズルから洗浄液を噴射し該被洗浄物の汚れを水分と空気と共に吸引する湿式電気掃除機における前記噴射ノズルに前記洗浄液を供給する給液タンク１７であって、前記洗浄液を貯溜するタンク本体７１を有し、前記タンク本体７１の上部には、その内部に前記洗浄液を注入する液注入口が設けられており、前記タンク本体７１の下部には、その内部から前記洗浄液を排出する液排出口７８及び前記液排出口７８よりも下方に突出し且つ該タンク本体７１を単独で起立させるタンク脚部７７Ａ〜７７Ｃが設けられており、前記タンク本体７１の内底部は、前記液排出口７８に向けて傾斜しており、前記湿式電気掃除機のハウジングに着脱自在になっている。【選択図】図６
2006181040.tif 000002
【特許請求の範囲】
【請求項１】
被洗浄物に噴射ノズルから洗浄液を噴射し該被洗浄物の汚れを水分と空気と共に吸引する湿式電気掃除機における前記噴射ノズルに前記洗浄液を供給する給液タンクであって、
前記洗浄液を貯溜するタンク本体を有し、
前記タンク本体の上部には、その内部に前記洗浄液を注入する液注入口が設けられており、
前記タンク本体の下部には、その内部から前記洗浄液を排出する液排出口及び前記液排出口よりも下方に突出し且つ該タンク本体を単独で起立させるタンク脚部が設けられており、
前記タンク本体の内底部は、前記液排出口に向けて傾斜しており、
前記湿式電気掃除機のハウジングに着脱自在になっている湿式電気掃除機用給液タンク。
【請求項２】
前記タンク脚部は、前記給液タンクを前記ハウジングに装着する際の位置決めガイドを兼ねている請求項１記載の湿式電気掃除機用給液タンク。
【請求項３】
前記タンク本体は、前記ハウジングへの装着状態下において、前記湿式電気掃除機の外観の一部を構成している請求項１又は２に記載の湿式電気掃除機用給液タンク。
【請求項４】
前記タンク本体は、その内部の前記洗浄液を視認し得るようになっている請求項１〜３の何れかに記載の湿式電気掃除機用給液タンク。
【請求項５】
前記液注入口は、キャップにより閉蓋されるようになっており、該キャップには、該液注入口を介して前記タンク本体の内部と外部とを連通する空気導通孔が設けられている請求項１〜４の何れかに記載の湿式電気掃除機用給液タンク。
【請求項６】
前記湿式電気掃除機は、汚れと水分を空気と共に吸引する吸引ノズルと、該吸引ノズルから吸引される汚れ、水分及び空気の混合流を導通する吸引ホースと、該混合流から汚れ及び水分を空気と分離する気水分離器と、該気水分離器により分離された空気を吸引して排気する出力１．５ｋＷ以下の電動ファンと、該混合流から分離される汚れと水分を貯溜する汚水タンクとを備えている請求項１〜５の何れかに記載の湿式電気掃除機用給液タンク。
【請求項７】
前記タンク本体の容積は３Ｌ以下であって、該タンク本体の容積が汚水タンクの容積よりも小さい請求項１〜６の何れかに記載の湿式電気掃除機用給液タンク。
【発明の詳細な説明】
【技術分野】
【０００１】
本発明は、被洗浄物に噴射ノズルから洗浄液を噴射し該被洗浄物の汚れを水分と空気と共に吸引する湿式電気掃除機における噴射ノズルに洗浄液を供給する給液タンクに関する。
【背景技術】
【０００２】
従来より、主に業務用として、吸引ノズル内部の噴射ノズルから被洗浄物に洗浄液を噴射しながら被洗浄物の汚れを水分と空気と共に吸引する湿式電気掃除機が使用されている。このような湿式電気掃除機には、通常、噴射ノズルに洗浄液を供給する給液タンクが設けられている（下記特許文献１，２参照）。
【０００３】
【特許文献１】特開２０００−２０１８７４号公報
【特許文献２】特開２０００−２０１８７３号公報
【発明の開示】
【発明が解決しようとする課題】
【０００４】
しかし、特許文献１，２に記載の湿式電気掃除機における給液タンクは、その外底部形状から単独で起立できないもので、給液タンクへの洗浄液の注入作業が容易ではない。また、これらの給液タンクにおいては、その内底部形状からその内部の洗浄液が完全には排出され難いもので、洗浄液の排出性の向上が望まれる。更に、これらの給液タンクは、湿式電気掃除機のベースハウジングから上方に伸びる略棒状のハンドルに設けられているため、ハンドルを把持する使用者の腕や肩に給液タンクの質量が直接的に加わり、使用者に負担が掛かる。
【０００５】
従って、本発明の目的は、洗浄液の注入作業が容易で、洗浄液の排出性に優れ、給液タンクの質量に起因する使用者への負担が少ない湿式電気掃除機用給液タンクを提供することにある。
【課題を解決するための手段】
【０００６】
本発明は、被洗浄物に噴射ノズルから洗浄液を噴射し該被洗浄物の汚れを水分と空気と共に吸引する湿式電気掃除機における前記噴射ノズルに前記洗浄液を供給する給液タンクであって、前記洗浄液を貯溜するタンク本体を有し、前記タンク本体の上部には、その内部に前記洗浄液を注入する液注入口が設けられており、前記タンク本体の下部には、その内部から前記洗浄液を排出する液排出口及び前記液排出口よりも下方に突出し且つ該タンク本体を単独で起立させるタンク脚部が設けられており、前記タンク本体の内底部は、前記液排出口に向けて傾斜しており、前記湿式電気掃除機のハウジングに着脱自在になっている湿式電気掃除機用給液タンクを提供することにより、上記目的を達成したものである。
【発明の効果】
【０００７】
本発明の湿式電気掃除機用給液タンクによれば、洗浄液の注入作業が容易で、洗浄液の排出性に優れ、給液タンクの質量に起因する使用者への負担が少ない。
【発明を実施するための最良の形態】
【０００８】
以下、本発明の湿式電気掃除機用給液タンク（以下単に「給液タンク」という）を、その好ましい一実施形態について、図面を参照しながら説明する。
本実施形態の給液タンク１７は、図１及び図２に示すように、被洗浄物に噴射ノズル５１から洗浄液Ｗを噴射し該被洗浄物の汚れを水分と空気と共に吸引する湿式電気掃除機１における前記噴射ノズル５１に前記洗浄液Ｗを供給する給液タンクである。
【０００９】
また、給液タンク１７は、汚れと水分を空気と共に吸引する吸引ノズル１１と、該吸引ノズル１１から吸引される汚れ、水分及び空気の混合流Ａを導通する吸引ホース１２と、該混合流Ａから汚れ及び水分を空気と分離する気水分離器１３と、該気水分離器１３により汚れと水分からほぼ分離された空気Ｃ’を吸引して排気する出力１．５ｋＷ以下の電動ファン１５と、該混合流Ａから分離される汚れと水分（汚水Ｂ）を貯溜する汚水タンク１４とを備えている湿式電気掃除機１における給液タンクとして使用されるものである。
【００１０】
本実施形態の給液タンク１７について更に詳述する。本実施形態の給液タンク１７は、図３及び図４に示すように、湿式電気掃除機１のハウジング２０の後部側（吸引ホース１２のない側）の給液タンク収納部２１に着脱自在になっている（詳細は後述）。
本実施形態の給液タンク１７は、図５〜図７に示すように、前記洗浄液Ｗを貯溜するタンク本体７１を有している。タンク本体７１は、正面視で略矩形状、平面視で略Ｕ字状、側面視で略矩形状を有しており、その内部の前記洗浄液Ｗを視認し得るようになっており、たとえば透明な合成樹脂やガラス等で形成されている。タンク本体７１は、中空成形による一体成形やタンク本体を形成する部材を溶融接着する貼り合わせにより形成されている。そのため、給液タンク１７は、透明でその内部の洗浄液Ｗを視認し得るようになっている。タンク本体７１は、平面視で、その左右方向両側部がそれぞれ正面（ハウジング２０への装着状態下における吸引ホース１２のない側）から背面（前記正面の反対側）に向けて膨出し、一対のタンク背面膨出部７２とそれらの間のタンク背面凹欠部７３を形成している。
【００１１】
タンク本体７１の上部には、図２に示すように、その内部に前記洗浄液Ｗを注入する液注入口７４Ａが設けられている。液注入口７４Ａは、タンクキャップ７４により閉蓋されるようになっている。タンクキャップ７４には、液注入口７４Ａを介してタンク本体７１の内部と外部とを連通する空気導通孔７４Ｂが設けられている。
タンク本体７１の正面には、正面から背面に向けて凹むタンク取っ手７５が設けられている。タンク取っ手７５には、タンク本体７１を持ち運びする際に手を掛けることができる。
【００１２】
タンク本体７１の下部のタンク底部７６には、その内部から前記洗浄液Ｗを排出する液排出口７８が設けられている。
液排出口７８には、図２に示すように、開閉弁７８Ａが設けられている。開閉弁７８Ａは、給液タンク１７がハウジング２０の給液タンク収納部２１に装着されると、給液タンク収納部２１に設けられている開閉弁作動用ピン（図示せず）が開閉弁７８Ａを開き、タンク本体７１内の洗浄液Ｗが液排出口７８から排出されるようになっており、それ以外の状態下では、開閉弁７８Ａが閉じ、タンク本体７１内の洗浄液Ｗが液排出口７８から排出されないようになっている。
【００１３】
尚、本発明においては、液排出口７８は、タンク本体７１のタンク底部７６に設けられていない場合でも、タンク本体７１の側面であってタンク底部７６に近い位置に設けられている場合には、タンク本体７１の下部に設けられているものとする。
タンク本体７１内部における液排出口７８の上部には、図２に示すように、洗浄液Ｗ内の異物を捕捉して洗浄剤Ｗを濾過するメッシュ材７８Ｂが配設されている。
メッシュ材７８Ｂにおける洗浄液Ｗを濾過するメッシュの大きさは、噴射ノズル５１内で異物による洗浄液Ｗの詰まりを防ぐことができるように適宜変更することが可能である。
【００１４】
タンク本体７１の下部のタンク底部７６には、液排出口７８よりも下方に突出した３個のタンク脚部７７Ａ〜７７Ｃが設けられている。３個のタンク脚部７７Ａ〜７７Ｃが液排出口７８よりも下方に突出して設けられているため、タンク本体７１を単独で（ハウジング２０に装着していなくても）床等の上に起立し得るようになっている。
タンク本体７１の内底部７６Ａは、図２に示すように、液排出口７８に向けて傾斜している。
【００１５】
本発明の給液タンク１７の容量は、該給液タンク１７を採用した湿式電気掃除機のコンパクト化を考慮すると、３Ｌ（リットル）以下が好ましい。また、該給液タンク１７と汚水タンク１４の容量の関係は、給液タンク１７の容量を汚水タンク１４の容量よりも小さく設定するが、さらに具体的には、汚水タンク１４の容量を給液タンク１７の容量の１．１〜１．５倍程度に設定するのがよい。
【００１６】
本実施形態の給液タンク１７が装着される湿式電気掃除機１について更に詳述する。
前記吸引ノズル１１は、汚水を空気と共に吸引するもので、本実施形態においては、図１に示すように、平面視で末広がり形状を有する中空体であり、その先端部は開口し、被洗浄物との当接面となっている。吸引ノズル１１の内部には、図２に示すように、洗浄液Ｗを噴射する噴射ノズル５１が設けられている。
本実施形態の湿式電気掃除機１には、図２に示すように、給液タンク１７内の洗浄液Ｗを送出する送液ポンプ５３と、送液ポンプ５３と給液タンク１７とを連通する連結チューブ５４と、送液ポンプ５３の駆動により連結チューブ５４を介して洗浄液Ｗを噴射ノズル５１に送給する送液チューブ５２が設けられている。
【００１７】
吸引ホース１２及び送液チューブ５２は、図１に示すように、ハウジング２０の前面から露出し、両者が並列して吸引ノズル１１に連結されている。
噴射ノズル５１は、送液チューブ５２に連結されており、送液チューブ５２から送給される洗浄液Ｗが噴射ノズル５１の先端部から被洗浄物に向けて噴射されるようになっている。
噴射ノズル５１としては、洗浄液を霧状に穏かに噴射するタイプや洗浄液を直線状に勢いよく噴射するタイプ等、被洗浄物に応じて選択することができる。本実施形態では、霧状に噴射するものを用いている。
【００１８】
前記吸引ホース１２は、図１及び図２に示すように、吸引ノズル１１と前記汚水タンク１４とを連通し、吸引ノズル１１から吸引される汚水と空気の混合流Ａを汚水タンク１４に導入するものである。
吸引ホース１２の一端部１２Ａは、図２に示すように、吸引ノズル１１の内部と連通し、他端部１２Ｂは、汚水タンク１４の汚水導入口１４Ａに嵌合している。
吸引ホース１２としては、従来より湿式電気掃除機用として用いられている吸引ホースを特に制限なく使用することができ、例えば、外内面が蛇腹状のホース、外面が蛇腹状で内面が平滑なホース、外内面が平滑なホース等が挙げられる。本実施形態においては、ホースの曲がり易さを確保しつつ、ホース内面への汚水の滞留や付着を防止する観点から、外側が蛇腹状で内側が平滑なホースを用いている。
【００１９】
汚水タンク１４は、図２に示すように、混合流Ａから分離される汚れ及び水分（汚水Ｂ）を貯溜するタンクである。汚水タンク１４は、図８に示すように、ハウジング２０の前部側の汚水タンク収納部２４Ｂに配設されており、図１０に示すように、その底部から上部開口部に向けて断面が拡大する略円筒形状を有している。汚水タンク１４は、その内部に貯溜された汚水Ｂを視認できるように透明の素材から形成されている。
【００２０】
汚水タンク１４の外周面の上方には、図１０に示すように、吸引ホース１２の他端部１２Ｂと連結される汚水導入口１４Ａが設けられている。汚水タンク１４の上部開口部の周縁部には、周方向に１８０°あけて２個の位置決め張出し部１４Ｂが設けられている。位置決め張出し部１４Ｂは、図８に示すように、ハウジング２０の汚水タンク収納部２４Ｂに設けられた凹部２４Ｃに嵌合させることにより、汚水タンク１４をハウジング２０の汚水タンク収納部２４Ｂに対して位置決めできるようになっている。
【００２１】
前記気水分離器１３は、図２に示すように、吸引ホース１２及び汚水タンク１４を介して導入される混合流Ａから汚水Ｂを分離する機能を有するものである。気水離器１３は、図１、図２、図８及び図９に示すように、汚水タンク１４が汚水タンク収納部２４Ｂに収納された状態下に、ハウジング２０の前部側の気水分離器収納部２４Ａに装着され、汚水タンク１４の上方に配置されるようになっている。
【００２２】
気水分離器１３は、図９に示すように、その下部に分離羽根部材１３Ｂが設けられている。分離羽根部材１３Ｂは、有底の籠状で周縁部に多数の羽根が配列してなる。気水分離器１３の上部１３Ａの内部には、分離羽根部材１３Ｂを回転する回転機構（図示せず）が設けられている。気水分離器１３の上部１３Ａの背面側には、排出部１３Ｃが設けられている。
【００２３】
気水分離器１３においては、電動ファン１５による吸引力（詳細は後述）により、分離羽根部材１３Ｂから排出部１３Ｃに向かう吸引力が働いている状態下で、前記回転機構により分離羽根部材１３Ｂを回転させることにより、分離羽根部材１３Ｂにおいて汚水タンク１４内の混合流Ａから汚水Ｂの大部分を分離し、混合流Ａから汚水Ｂがほぼ分離された空気Ｃ’（図２参照）を排出部１３Ｃから排出できるようになっている。
気水分離器１３において混合流Ａから分離された汚水Ｂは、落下し、汚水タンク１４内に貯溜するようになっている。
【００２４】
前記電動ファン１５（図２参照。図２以外では図示省略）は、ハウジング２０の中央上部に設けられたハウジング取っ手２５の下方におけるハウジング２０の内部に設けられている。電動ファン１５は、図２に示すように、吸引部１５Ａから吸引し、排気部１５Ｂから外部に排気することにより、吸引ノズル１１から吸引ホース１２及び汚水タンク１４を経て気水分離器１３に向かう経路の吸引力を発生させるものである。吸引部１５Ａから吸引された混合流Ａから汚水Ｂをほぼ分離した空気Ｃ’は、図２に示すように、排気部１５Ｂから外気中に排出される。
電動ファン１５としては、湿式電気掃除機のコンパクト化の面や一般家庭内で使用する面で、出力１．５ｋＷ以下のものが好適であるが、被洗浄物等条件に応じて、１．２ｋＷ以下のものや１．０ｋＷ以下のものを用いることができる。
【００２５】
気水分離器１３の排出部１３Ｃと電動ファン１５の吸引部１５Ａとの間には、図２に示すように、汚水がほぼ除去された混合流Ａ中に残存する微量の汚水を吸着分離するフィルタ１６が設けられている。
フィルタ１６としては、混合流Ａから前記微量の汚水を吸着分離できるものであれば制限なく用いることができる。
【００２６】
ハウジング２０の給液タンク収納部２１の底部には、図４に示すように、給液タンク１７のタンク脚部７７Ａ〜７７Ｃ及び液排出口７８にそれぞれ対応して、脚部嵌合部２１Ａ〜２１Ｃ及び排出口受部２２が設けられている。また、給液タンク収納部２１には、給液タンク１７のタンク背面凹欠部７３に対応して、ハウジング２０の背面に向けて膨出するハウジング凸出部２３が設けられている。
【００２７】
電動ファン１５、汚水タンク１４、送液ポンプ５３、連結チューブ５４等は、ハウジング２０に収納されている。ハウジング２０の上部には、図１及び図３に示すように、スイッチ２６が設けられている。ハウジング２０の下部には、湿式電気掃除機１の移動用の前輪及び後輪（図示せず）が設けられている。
給液タンク１７のタンク本体７１及び気水分離器１３の上部１３Ａは、図１及び図３に示すように、ハウジング２０への装着状態下において、湿式電気掃除機１の外観の一部を構成している。
【００２８】
送液チューブ５２、連結チューブ５４及び送液ポンプ５３としては、各々に要求される機能を果たすものであれば、それらの材質、形状、大きさ等に特に制限はない。
洗浄液としては、被洗浄物に応じて、洗剤を含む適切なものが用いられる。洗剤を含有しない水を用いてもよい。
【００２９】
このように構成された本実施形態の給液タンク１７は、そのタンク底部７６及びタンク脚部７７Ａ〜７７Ｃを給液タンク収納部２１に着脱することで、ハウジング２０に着脱自在になっている。詳述すると、図３〜図７に示すように、タンク底部７６が給液タンク収納部２１の内側面周縁に嵌合し、タンク脚部７７Ａ〜７７Ｃが脚部嵌合部２１Ａ〜２１Ｃが嵌合する。また、タンク背面凹欠部７３がハウジング凸出部２３に嵌り、液排出口７８が排出口受部２２に嵌る。
つまり、タンク底部７６及びタンク脚部７７Ａ〜７７Ｃは、給液タンク１７をハウジング２０に装着する際の位置決めガイドを兼ねている。
【００３０】
次に、本実施形態の給液タンク１７を備えた湿式電気掃除機１の一使用方法として、住宅のカーペットを洗浄する場合について以下に説明する。
吸引ノズル１１をカーペット（図示せず）の汚れた部分に当接させて、スイッチ２６を操作し、湿式電気掃除機１の電源を入れ、送液ポンプ５３と電動ファン１５を駆動させる。すると、送液ポンプ５３の駆動により、図２に示すように、給液タンク１７内の洗浄液Ｗが、連結チューブ５４と送液チューブ５２を経て、噴射ノズル５１から霧状に噴射される。その結果、噴射された洗浄液Ｗによりカーペットが洗浄され、その汚れが除去される。
【００３１】
また、電動ファン１５の駆動により、図２に示すように、吸引ノズル１１から吸引ホース１２及び汚水タンク１４を経て、除去された汚れを含む洗浄液Ｗが、カーペットに付着した髪の毛、綿ゴミ、埃等の乾燥ゴミと空気と共に、気水分離器１３に向けて吸引される。以下、これらの汚れ、洗浄液及び乾燥ゴミを合わせて「汚れと水分」又は「汚水Ｂ」といい、汚れと水分と空気とを合わせて「混合流Ａ」という。
【００３２】
混合流Ａは、吸引ノズル１１から吸引ホース１２を経て汚水タンク１４内に導入されると、急激な気圧の低下により混合流Ａ中の水分が凝集し、それが水滴となって汚水タンク１４内に落下する。
また、汚水タンク１４内の混合流Ａは、気水分離器１３における分離羽根部材１３Ｂの羽根間に流入しようとするが、前記回転機構により回転している分離羽根部材１３Ｂの羽根によって、汚れ及び水分（汚水Ｂ）が叩き落とされて、更に気水分離される。然る後、図２に示すように、混合流Ａから汚水Ｂがほぼ分離された空気Ｃ’は、気水分離器１３の排出部１３Ｃから排出される。
【００３３】
排出部１３Ｃから排出された前記空気Ｃ’には、汚れと水分はほとんど残存していないが、残存する汚れと水分は、フィルタ１６を通過する際にほぼ完全に除去される。
フィルタ１６を通過した空気流Ｃは、電動ファン１５の吸引部１５Ａから吸引され、排気部１５Ｂから排出される。
このように、本実施形態の給液タンク１７を備えた湿式電気掃除機１によれば、洗浄液を噴射しながら、汚れと水分を吸引することができ、清掃作業が容易である。
【００３４】
本実施形態の給液タンク１７においては、湿式電気掃除機１のハウジング２０に着脱自在になっており、タンク本体７１の上部に洗浄液を注入する液注入口７４Ａが設けられており、タンク本体７１の下部にタンク脚部７７Ａ〜７７Ｃが設けられているため、給液タンク１７をハウジング２０から離脱し、適当な場所に移動させてから、給液タンク１７を単独で起立させた状態でタンク本体７１内に洗浄液の注入を行うことができる。そのため、洗浄液の注入作業が容易である。
尚、洗浄液の注入作業においては、予め混合された洗浄液をタンク本体７１に注入してもよく、洗浄液の洗剤及び水をそれぞれ別々にタンク本体７１に注入してから、給液タンク１７を振る等してタンク本体７１内で洗剤と水とを混合させて、洗浄液としてもよい。
【００３５】
タンク脚部７７Ａ〜７７Ｃが液排出口７８よりも下方に突出しているため、給液タンク１７を単独で床等に載置したときに、液排出口７８が床等に接触することがなく、開閉弁７８Ａへの接触による開閉弁７８Ａからの洗浄液の漏れ（排出）を防止することができる。
タンク本体７１の内底部７６Ａが液排出口７８に向けて傾斜しているため、洗浄液の排出性に優れ、タンク本体７１内の洗浄液は、内底部７６Ａに残存することなくタンク本体７１内からスムーズに排出される。
【００３６】
タンク脚部７７Ａ〜７７Ｃを、ハウジング２０への給液タンク１７の装着の際の位置決めガイドとして使用できるため、給液タンク１７をハウジング２０の給液タンク収納部２１にセットするだけで、液排出口７８を破損することなく、給液タンク１７をハウジング２０の所定位置に装着することができる。しかも、給液タンク１７をハウジング２０に固定するロック機構が不要であり、また給液タンク１７を誤って上下逆さまにハウジング２０に装着することもない。
【００３７】
タンク本体７１がハウジング２０への装着状態下において湿式電気掃除機１の外観の一部を構成しているため、給液タンク１７を被覆するカバー等を不要とでき、湿式電気掃除機全体の小型化ができる。
タンク本体７１が透明でその内部の洗浄液を視認し得るようになっているため、タンク本体７１内の洗浄液の量を目視で容易に確認することができ、洗浄液補充時における洗浄液の注入量の把握が容易であり、使用時における洗浄剤の残量（補充時期）の把握も容易である。
【００３８】
液注入口７４Ａがタンクキャップ７４により閉蓋されるようになっているため、給液タンク１７の持ち運び時や使用時に給液タンク１７の液注入口７４Ａから洗浄液がこぼれない。また、タンクキャップ７４に液注入口７４Ａを介してタンク本体７１の内部と外部とを連通する空気導通孔７４Ｂが設けられているため、液排出口７８の開閉弁７８Ａからの洗浄液の排出がスムーズに行われる。
【００３９】
更に、給液タンク１７がハウジング２０に装着されるようになっているため、使用者の腕や肩に給液タンク１７の質量が直接的に加わることがなく、使用者に負担が掛かり難い。
給液タンク１７にタンク取っ手７５が設けられているため、給液タンク１７が濡れて滑り易くなっていたり、大量の洗浄液が入っていたとしても、給液タンク１７をハウジング２０からの着脱時に簡単に取り扱うことができる。
【００４０】
液排出口７８に開閉弁７８Ａが設けられているため、給液タンク１７の着脱時、持ち運び時等の洗浄液の排出が好ましくない状況において、液排出口７８から洗浄液が排出することがない。
【００４１】
液排出口７８の上部にメッシュ材７８Ｂが配設されているため、洗浄剤に元々混入していた異物又は洗浄剤注入時に混入した異物がメッシュ材７８Ｂで捕捉され、洗浄剤が濾過される。そのため、タンク本体７１内の異物が噴射ノズル５１まで到達せず、噴射ノズル５１の先端部の目詰まりを防止できる。
【００４２】
本発明の給液タンクは、汚れと水分を空気と共に吸引する吸引ノズルと、該吸引ノズルから吸引される汚れ、水分及び空気の混合流を導通する吸引ホースと、該混合流から汚れ及び水分を空気と分離する気水分離器と、該気水分離器により分離された空気を吸引して排気する出力１．５ｋＷ以下の電動ファンと、該混合流から分離される汚れと水分を貯溜する汚水タンクとを備えた湿式電気掃除機における給液タンクとして好ましく使用される。
【００４３】
本発明の湿式電気掃除機用給液タンクは、前述した実施形態に制限されることなく、本発明の趣旨を逸脱しない限り、以下に示すように適宜変更が可能である。
タンク本体については、その形状、ハウジングへの装着位置、ハウジングへの装着方法等を適宜変更することができる。タンク本体は、湿式電気掃除機の外観を構成していなくてもよく、透明でなくてよい。
【００４４】
液注入口の位置、液排出口の位置、タンク脚部の個数、タンク脚部の位置、ハウジングの構成、タンク取っ手の位置や形状、洗浄液内の異物を捕捉し濾過するメッシュ材等も適宜変更することができる。
また、本発明の給液タンクを備えた湿式電気掃除機は、カーペットや車のシートのような細かい凹凸のある被洗浄物の洗浄に特に適しているが、畳、フローリング、窓ガラス等の住居の各部分の洗浄にも用いることができる。
【図面の簡単な説明】
【００４５】
【図１】図１は、本発明の給液タンクの一実施形態を備えた湿式電気掃除機を正面上方から視た斜視図である。
【図２】図２は、図１に示す湿式電気掃除機の全容を、汚れ、水分等の流通経路と共に示す模式図である。
【図３】図３は、図１に示す湿式電気掃除機を背面上方から視た斜視図である。
【図４】図４は、図１に示す湿式電気掃除機から給液タンクを取り外した状態を示す図で、（ａ）は正面上方から見た斜視図（図３対応図）、（ｂ）は部分平面図である。
【図５】図５は、本発明の給液タンクの一実施形態を示す図で、（ａ）は正面上方から視た斜視図、（ｂ）は背面上方から視た斜視図である。
【図６】図６は、本発明の給液タンクの一実施形態を示す図で、（ａ）は正面図、（ｂ）は背面図、（ｃ）は右側面図である。
【図７】図７は、本発明の給液タンクの一実施形態を示す図で、（ａ）は平面図、（ｂ）は底面図である。
【図８】図８は、図１に示す湿式電気掃除機から給液タンク及び気水分離器を取り外した状態を斜め上方から視た斜視図である。
【図９】図９は、図１に示す湿式電気掃除機における気水分離器を示す斜視図である。
【図１０】図１０は、図１に示す湿式電気掃除機における汚水タンクを示す斜視図である。
【符号の説明】
【００４６】
１  湿式電気掃除機
１１  吸引ノズル
１２  吸引ホース
１２Ａ  吸引ホースの一端部
１２Ｂ  吸引ホースの他端部
１３  気水分離器
１３Ａ  上部
１３Ｂ  分離羽根部材
１３Ｃ  排出部
１４  汚水タンク
１４Ａ  汚水導入口
１４Ｂ  位置決め張出し部
１５  電動ファン
１５Ａ  吸引部
１５Ｂ  排気部
１６  フィルタ
１７  給液タンク
２０  ハウジング
２１  給液タンク収納部
２１Ａ、２１Ｂ、２１Ｃ  脚部嵌合部
２２  排出口受部
２３  ハウジング凸出部
２４Ａ  気水分離器収納部
２４Ｂ  汚水タンク収納部
２４Ｃ  凹部
２５  ハウジング取っ手
２６  スイッチ
５１  噴射ノズル
５２  送液チューブ
５３  送液ポンプ
５４  連結チューブ
７１  タンク本体
７２  タンク背面膨出部
７３  タンク背面凹欠部
７４  タンクキャップ
７４Ａ  液注入口
７４Ｂ  空気導通孔
７５  タンク取っ手
７６  タンク底部
７７Ａ、７７Ｂ、７７Ｃ  タンク脚部
７８  液排出口
７８Ａ  開閉弁
７８Ｂ  メッシュ材
Ａ  混合流
Ｂ  汚水
Ｃ  空気
Ｃ’  混合流Ａから汚水Ｂをほぼ分離した空気
Ｗ  洗浄液
【図１】
2006181040.tif 000003
【図２】
2006181040.tif 000004
【図３】
2006181040.tif 000005
【図４】
2006181040.tif 000006
【図５】
2006181040.tif 000007
【図６】
2006181040.tif 000008
【図７】
2006181040.tif 000009
【図８】
2006181040.tif 000010
【図９】
2006181040.tif 000011
【図１０】
2006181040.tif 000012